(57)【要約】【課題】受信チャンネル設定作業を自動化する受信装置を提供する。  【解決手段】受信チャネルを順次走査して各チャネルの受信データを収集する受信データ収集手段と、受信地域とその地域の受信チャネルとの対応データを予め格納している第１受信地域情報定義ファイルのデータと収集された受信データとを比較して受信地域を特定する受信地域特定手段と、特定された受信地域をもとに受信チャネルを設定するチャネル設定手段とを有する受信装置において、受信地域とその地域の受信チャネルとの対応データを入力するデータ入力手段と、受信チャネルが変更されたときに、変更された地域について、入力された対応データを受信地域情報定義ファイルのデータに代えて使用し受信地域を特定する第２受信地域特定手段を有することを特徴とする受信装置。【選択図】図１           
2005210394.tif 000002
【特許請求の範囲】
【請求項１】
受信チャネルを順次走査して各チャネルの受信データを収集する受信データ収集手段と、受信地域とその地域の受信チャネルとの対応データを予め格納している第１受信地域情報定義ファイルのデータと収集された受信データとを比較して受信地域を特定する受信地域特定手段と、特定された受信地域をもとに受信チャネルを設定するチャネル設定手段とを有する受信装置において、
受信地域とその地域の受信チャネルとの対応データを入力するデータ入力手段と、
受信チャネルが変更されたときに、変更された地域について、入力された対応データを受信地域情報定義ファイルのデータに代えて使用し受信地域を特定する第２受信地域特定手段を有することを特徴とする受信装置。
【請求項２】
受信装置の移動により受信中の電波の感度が悪化した場合、
受信地域情報定義ファイルの中から受信中の地域に隣接する地域情報を取得し、受信局の系列局の有無を検索する系列局検索手段と、
系列局が検索された場合には、検索された系列局の受信チャネルに順次設定し、入感の有無を判断する入感判断手段と
入感ありと判断されたときには、その系列局の地域を隣接地域と特定する隣接地域特定手段とを有することを特徴とする請求項１記載の受信装置。
【請求項３】
隣接地域に系列局が検索されなかったときには、
隣接地域の各地域での最も周波数の低い局の受信チャネルに順次設定し、入感する地域を探索する地域探索手段と、
探索の結果、入感ありと判断された地域を受信地域と特定する入感地域特定手段とを有することを特徴とする請求項２記載の受信装置。
【請求項４】
受信装置の移動先の受信地域とその地域の受信チャネルとの対応データを入力する移動先データ入力手段と、
入力されたデータの各地域における最も周波数の低い局の受信チャネルを順次設定し、入感する地域を探索する移動先地域探索手段と、
入感ありと判断された地域を特定する移動先地域特定手段とを有することを特徴とする請求項１記載の受信装置。
【請求項５】
第１受信地域特定手段または第２受信地域特定手段により特定された受信地域の受信チャネルのデータをリムーバブルメディアに出力する出力手段を有することを特徴とする請求項１記載の装置。
【発明の詳細な説明】
【技術分野】
【０００１】
本発明は、受信装置の受信チャンネル設定作業を自動化する技術に関する。
【背景技術】
【０００２】
テレビなどを受信する装置においては、使い始めのチャンネル設定の方法が問題である。
【０００３】
装置によっては各地域において受信可能な放送局と放送周波数の対応リストを持ち、実際に受信可能な局の周波数リストと比較することにより、実際の受信地域を推定して自動的にチャンネルを設定するものがある。
【０００４】
図７に、従来例の受信装置の構成図を示す。
【０００５】
受信地域を推定する機能を持つ受信装置の構成例である。入力装置５の指示によりＣＰＵ４がチューナ２に周波数をセットすると、アンテナ１から受信した電波は、チューナ２により選択され出力装置３に受信出力が出力されるものである。ある地域において受信できる放送局の周波数は限られているので、受信可能な周波数をローカルメモリ６に初期値として持つことで、例えば入力装置５からの「チャンネルアップ」や「チャンネルダウン」のような簡単な指示に対応して、素早く受信周波数を切り替えることが可能となる。
【０００６】
図８に従来例の受信地域データを示す。
【０００７】
周波数初期値を設定するために、図８のような形で受信地域、例えば「東京都区内」や「横浜地域」ごとの受信可能な周波数またはテレビチャンネル番号のように符号化したものをリストとして用意し、装置内に受信地域固定情報データ７として保存する。
【０００８】
図８における地域Aが特定できれば、リストから受信周波数を読み取り、ローカルメモリ６にセットして初期化することができる。
【０００９】
図９に従来例の受信装置のチューナ初期化手順を示す。
【００１０】
地域の特定を自動化する方法を示す。
【００１１】
チューナで受信可能な局を広い範囲で検索し、受信周波数と受信感度の組み合わせを測定する。検索範囲は、例えばテレビチューナであれば１チャンネルから６３チャンネルまでの６３通りが考えられるし、ケーブル局の特定のためケーブル局対応周波数の９９通りも考えられる。得られた受信分布を、地域別局リストと比較し、最もマッチする地域Amを選択する。
【００１２】
すなわち、まず、受信チャネルC１〜Cnに対し受信感度V１〜Vnを測定する(ステップ21)。（ステップ11）。
【００１３】
次に、地域ガイド番号x=１とする(ステップ12)。
【００１４】
受信地域情報定義ファイルからマッチ評価値Mxを算出する(ステップ14)。
【００１５】
x=x+1を計算する(ステップ15)。
【００１６】
全地域評価終了か確認する(ステップ16)。
【００１７】
全地域評価未了であれば、ステップ14に戻る。
【００１８】
全地域評価終了であれば、全マッチ評価値M1〜Mnにおいて評価最大となるMmを検索する(ステップ17)。
【００１９】
次に、Mmから検索地域は、Amだと判断してチューナを地域Amに初期化する(ステップ18)。
【００２０】
ここでマッチ評価値としては、例えば地域中の何パーセントの局が受信可能だったか、そのパーセンテージを評価値として使用することができる。この場合、パーセンテージ最大の地域が最もマッチする地域だと考えられる。
【００２１】
以上の手段により、ユーザーの手動選択処理やＧＰＳ等の位置検出手段によらず、自動的に地域特定を行って受信周波数の初期化が可能となる。(例えば特許文献１参照)
【特許文献１】特開平０５−１４５８６４
【発明の開示】
【発明が解決しようとする課題】
【００２２】
平成１５年度より地上波デジタル放送が開始されており、これに対応するためアナログ放送周波数が変更される機会が増える。しかし従来の装置では受信地域情報が装置内に組み込まれているため、周波数変更に対応するためには装置の改修が必要であり、ユーザーが簡単に対応できない。
【００２３】
また、地域特定のための作業においては広い範囲で受信周波数のスキャンが必要となる。例えばＴＶチューナの設定では６３チャンネル分の走査が必要であり、１チャンネルのチェックに１秒を要するなら、設定完了までに少なくとも６３秒を要する。例えばモバイル装置にチューナを組み込む場合、装置が移動すれば再び初期化作業が必要となるので、移動中に１分以上も視聴を中断されることになる。このような初期化手段はモバイル装置に不向きである。
本発明は、受信装置の受信チャンネル設定作業を自動化する技術を提供する。
【課題を解決するための手段】
【００２４】
本発明の受信装置は、受信チャネルを順次走査して各チャネルの受信データを収集する受信データ収集手段と、受信地域とその地域の受信チャネルとの対応データを予め格納している第１受信地域情報定義ファイルのデータと収集された受信データとを比較して受信地域を特定する受信地域特定手段と、特定された受信地域をもとに受信チャネルを設定するチャネル設定手段とを有する受信装置において、受信地域とその地域の受信チャネルとの対応データを入力するデータ入力手段と、受信チャネルが変更されたときに、変更された地域について、入力された対応データを受信地域情報定義ファイルのデータに代えて使用し受信地域を特定する第２受信地域特定手段を有する構成である。
【００２５】
この構成により、放送局の受信チャネルが変更されたときに、外部から変更データを入力できるので、チューナの初期化の再設定を自動化できる。
【００２６】
また、受信装置の移動により受信中の電波の感度が悪化した場合、受信地域情報定義ファイルの中から受信中の地域に隣接する地域情報を取得し、受信局の系列局の有無を検索する系列局検索手段と、系列局が検索された場合には、検索された系列局の受信チャネルに順次設定し、入感の有無を判断する入感判断手段と入感ありと判断されたときには、その系列局の地域を隣接地域と特定する隣接地域特定手段とを有する構成である。
【００２７】
この構成により、携帯端末を持って、移動したときに、受信中の放送局の系列局に自動設定してくれるので、中断も少なく番組を視聴できる。
【００２８】
また、隣接地域に系列局が検索されなかったときには、隣接地域の各地域での最も周波数の低い局の受信チャネルに順次設定し、入感する地域を探索する地域探索手段と、探索の結果、入感ありと判断された地域を受信地域と特定する入感地域特定手段とを有する構成である。
【００２９】
この構成により、携帯端末を持って、移動したときに、受信中の放送局の系列局がないときには、隣接地域の中で受信可能な受信チャネルに自動設定する。
【００３０】
また、受信装置の移動先の受信地域とその地域の受信チャネルとの対応データを入力する移動先データ入力手段と、入力されたデータの各地域における最も周波数の低い局の受信チャネルを順次設定し、入感する地域を探索する移動先地域探索手段と、入感ありと判断された地域を特定する移動先地域特定手段とを有する構成である。
【００３１】
この構成により、携帯端末を持って、移動したときに、予め移動先の放送局の受信チャネルを設定してあるので、効率的に自動設定が行われ、移動中でも中断も少なく番組を視聴できる。
【００３２】
また、第１受信地域特定手段または第２受信地域特定手段により特定された受信地域の受信チャネルのデータをリムーバブルメディアに出力する出力手段を有する構成である。
【００３３】
この構成により、特定された受信地域の受信チャネルのデータをリムーバブルメディアに出力することで、受信チャネルの自動選択機能のない携帯端末等に入力することが可能となり、容易に外部装置のチューナの初期化を自動化することができる。
【発明の効果】
【００３４】
本発明により、受信装置の受信チャンネル設定作業を自動化することができる。
【発明を実施するための最良の形態】
【００３５】
【実施例１】
【００３６】
図1に実施例の受信装置の構成図を示す。
【００３７】
アンテナ１は、電波を受信する。
【００３８】
チューナ２は、受信した電波から所定のチャネルを選別する。
【００３９】
出力装置３は、選別された周波数のデータを出力する。
【００４０】
ＣＰＵ４は、装置全体を制御する。
【００４１】
入力装置５は、操作者からの指示を入力する。
【００４２】
ローカルメモリ６は、装置の使用地域における受信可能な周波数を記憶する。
【００４３】
受信地域情報定義ファイル７は、各地域別の受信可能なチャネルを装置に保存している。
【００４４】
リムーバブル外部メディア８は、外部入出力する受信地域情報定義ファイルである。
例えばチャネル変更のためのアップデート情報を記憶しているファイルである。
【００４５】
リムーバブル外部メディア８をＣＰＵ４からアクセスできるようにすることで、地域ごとの放送局の情報をアップデートすることができる。
【００４６】
図３に、実施例のチューナ初期化処理手順を示す。
【００４７】
局情報アップデートに対応した受信チャネル初期化の方法を示す。
【００４８】
各地域情報とのマッチ評価値を得る際に、まずリムーバブルメディア８内のアップデートファイルFuに該当地域情報があるか検索し、存在するならばこちらを優先的に評価対象とすることで、外部から簡単に局情報をアップデートすることが可能となる。
【００４９】
まず、受信チャネルC１〜Cnに対し受信感度V１〜Vnを測定する(ステップ21)。
【００５０】
次に、地域ガイド番号x=１とする(ステップ22)。
【００５１】
地域Axは、アップデートファイルFuに定義があるか確認する(ステップ23)。
【００５２】
定義がないときには受信地域情報定義ファイルからマッチ評価値Mxを算出する(ステップ24i)。
【００５３】
定義があるときにはアップデートファイルFuからマッチ評価値Mxを算出する(ステップ24ii)。
【００５４】
次にx=x+1を計算する(ステップ25)。
【００５５】
全地域評価終了か確認する(ステップ26)。
【００５６】
全地域評価未了であれば、ステップ23に戻る。
【００５７】
全地域評価完了であれば、全マッチ評価値M1〜Mnにおいて評価最大となるMm検索する(ステップ27)。
【００５８】
そして検索地域は、Amだと判断してチューナを地域Amに初期化する(ステップ28)。
【００５９】
次に、隣接地域への移動対応を高速化する方式について説明をする。
【００６０】
図２に実施例の受信地域データ例を示す。
【００６１】
地域移動により例えば現在視聴している局が受信困難になった場合、まず現在受信している地域に隣接した受信地域が定義されているかを確認する。受信地域情報には各地域ごとの隣接地域情報が追加されており、図２において、例えば地域A2に隣接する地域はa21およびa22であることがわかる。つまり連続的に移動する場合、必ずこの隣接地域に入るはずである。また、受信地域情報には受信可能局の局系列情報、例えばNHK総合などの中継局の親局は何かという情報が付加されている。これにより、移動先と考えられる地点において、現在視聴している放送と同一の放送を受信候補とすることができる。もし同系列の中継局がなければ、移動先候補の地点の適当な局を選んで受信を試みる。
【００６２】
図４に実施例の隣接地域移動に対応したチューナ初期化手順を示す。
【００６３】
まず、現在地域ガイド番号tを取得する(ステップ31)。
【００６４】
次に、地域Atに隣接地域あるか確認する(ステップ32)。
【００６５】
隣接地域がなければユーザに「隣接地域なし」通知をする(ステップ40)。
【００６６】
隣接地域があれば、現在受信局系列番号sを取得する(ステップ33)。
【００６７】
次にi=１に設定する(ステップ34)。
【００６８】
隣接地域にatiに局系列sの有無確認する(ステップ35)。
【００６９】
ある場合には、隣接地域にatiに局系列sの周波数で受信にチューナをセットする(ステップ36)。
【００７０】
入感あるか確認する(ステップ37)。
【００７１】
入感があれば、検索地域は、atiと判断してチューナを地域atiに初期化する(ステップ41)。
【００７２】
入感がない場合は、i=i+1を計算する(ステップ38)。
【００７３】
次に、全隣接地域処理完了かを確認し、未完了ならステップ35に戻る(ステップ39)。
【００７４】
全隣接地域処理完了なら図５の処理に続く。
【００７５】
図５に隣接地域移動に対応したチューナ初期化手順(続き)を示す。
【００７６】
図５の処理は、最も周波数の低い局を受信対象としているが、これは周波数の低い方が電波の伝達性が良いからであり、例えばアンテナの周波数特性から感度が高い周波数を選んで受信対象にしてもよい。
【００７７】
まず、i=１に設定する(ステップ44)。
【００７８】
隣接地域atiに局系列sがあるか確認する(ステップ45)。
【００７９】
局系列sがある場合には、ステップ４８に行く。
【００８０】
局系列sがなければ、地域atiにおける最も低い周波数の局で受信する(ステップ46)。
【００８１】
入感あるか確認する(ステップ47)。
【００８２】
入感があれば、検索地域は、atiと判断してチューナを地域atiに初期化する(ステップ51)。
【００８３】
入感がない場合は、i=i+1を計算する(ステップ48)。
【００８４】
次に、全隣接地域処理完了かをチェックしてみて完了していないならステップ45に戻る(ステップ49)。
【００８５】
次に、全隣接地域処理完了していたならば、ユーザに、「隣接地域なし」と通知する(ステップ50)。
【００８６】
以上のようにして隣接地域１個所につき１局の受信を試み、受信に成功すれば該当地域が移動先だとしてチューナ設定を再セットする。これにより従来のように受信可能な全周波数を再走査することなく、最低限の受信作業で地域再設定が可能となる。
【００８７】
図６に、実施例の予め地域指定が可能なチューナ初期化手順を示す。
【００８８】
装置の移動先が予め予測できる場合、リムーバブル外部メディア８に移動先地域を特定する情報を記録しておき、これを読み込むことにより、移動先でのチューナ初期化作業を高速化することができる。
【００８９】
まずリムーバブル外部メディア８上に移動先候補の地域定義が記述されたファイルfaがあるかを確認する(ステップ60)。
【００９０】
無ければステップ67に行き、通常の初期化作業を行う。
【００９１】
地域定義の記述は例えば図２の地域定義の番号の記述であり、移動先が複数地域に渡る場合には複数の地域番号の羅列でもよい。
【００９２】
移動先の地域定義ファイルがあれば、i=1を設定する(ステップ61)。
【００９３】
次に、ファイルfaのi番目の地域定義Aiで最も周波数の低い局を受信する(ステップ62)。
【００９４】
入感あるか確認する(ステップ63)。
【００９５】
入度があれば、検索地域は、Aiと判断してチューナを地域Aiに初期化する(ステップ71)。
【００９６】
入感がない場合は、i=i+1を計算する(ステップ64)。
【００９７】
全定義ファイルの評価終了かを確認する(ステップ65)。
【００９８】
評価未了ならステップ６２に行く。
【００９９】
評価終了していれば、ユーザに、「隣接地域なし」と通知する(ステップ66)。
【０１００】
次に通常の初期化作業を行う(ステップ67)。
【０１０１】
以上の手順により、例えば自宅と出張先の地域を予めリムーバブル外部メディア８に記述しておくことにより、移動先でのチューナ設定が即座に終了し、装置をすぐに使うことができる。
【０１０２】
また、受信手段と地域特定手段とを分離する方式がある。地域特定のためには、受信地域情報定義ファイル７に示すような地域情報データベースを搭載し、さらに地域推定のための演算等行う処理機能が必要となるが、処理能力が低いモバイル装置においては、この作業は、負荷が重くなり過ぎる。このような装置においては、受信チャネルC１〜Cnに対し受信感度V１〜Vnを測定し、そのデータをリムーバブル外部メディア８を媒体として出力し、それを外部のパーソナルコンピュータ等により地域推定作業を行わせることで負荷分散が可能となる。
【０１０３】
すなわち、このときには、外部のパーソナルコンピュータ等により、図３のチューナの初期化手順のステップ22〜27を実行することで、評価最大となるMmを取得し、検索地域Amを特定する。特定されたデータをモバイル装置にリムーバブル外部メディア８を媒体として入力し、チューナを地域Amに設定する。
【０１０４】
この結果、例えば携帯装置に要求される装置の即時応答と外部装置との連携とを効率よく実現でき、携帯装置の性能向上とコストダウンに寄与するところが大きい。
【０１０５】
また、携帯端末を持って移動しているときに、受信地域データを記録する際に、受信装置での受信時刻Tmを共に記録しておけば、時刻Tmにおいて装置が地域Amにあったことがわかる。受信地域データと受信時刻データを組にして移動中随時記録しておけば、この記録データから装置の移動を時系列で取得することができる。
【０１０６】
このことにより、１つはタコグラフのような移動履歴を残すことができる。これにより、ＧＰＳを使わずに大雑把な旅行の行程を見ることが出来る。
【０１０７】
もう１つは、処理能力の低いモバイル装置において、不明な土地で録画した放送の放送局名を得るためである。録画した番組名を知るための情報を後日に得ることができる。
【産業上の利用可能性】
【０１０８】
本発明は、受信装置の受信チャンネル設定作業を自動化する技術を提供する用途に適用できる。
【図面の簡単な説明】
【０１０９】
【図１】実施例の受信装置の構成図
【図２】実施例の受信地域データ例
【図３】実施例のチューナ初期化手順
【図４】実施例の隣接地域移動に対応したチューナ初期化手順
【図５】実施例の隣接地域移動に対応したチューナ初期化手順(続き)
【図６】実施例の予め地域指定が可能なチューナ初期化手順
【図７】従来例の受信装置の構成図
【図８】従来例の受信地域データ例
【図９】従来例の受信装置のチューナ初期化手順
【符号の説明】
【０１１０】
１        アンテナ
２        チューナ
３        出力装置
４        ＣＰＵ
５        入力装置
６        ローカルメモリ
７        受信地域情報定義ファイル
８        リムーバブル外部メディア
１０        受信装置
【図１】
2005210394.tif 000003
【図２】
2005210394.tif 000004
【図３】
2005210394.tif 000005
【図４】
2005210394.tif 000006
【図５】
2005210394.tif 000007
【図６】
2005210394.tif 000008
【図７】
2005210394.tif 000009
【図８】
2005210394.tif 000010
【図９】
2005210394.tif 000011